(57)【特許請求の範囲】
【請求項１】
絵の具チューブの吐出口を着脱可能に装着する有底筒状の絵の具チューブ用キャップであって、底部よりも径の大きな筒部を有し、両者の間に段差部を形成し、前記筒部の内面には雌ネジが形成されている絵の具チューブ用キャップにおいて、キャップの底部に、絵の具チューブの吐出口に嵌入される突起を形成して底部の内側に絵の具チューブの吐出口と嵌合する環状溝が形成され、且つ上記段差部に１又は複数の小孔を穿設しており、筒部の内面の雌ネジを絵の具チューブに設けられた雄ネジと螺合してキャップを絵の具チューブの吐出口に装着すると、絵の具チューブの吐出口は突起によって塞がれ、さらに吐出口の全体は環状溝にすっぽりと覆われて、吐出口と小孔との間を遮断することを特徴とする絵の具チューブ用キャップ。
【発明の詳細な説明】
【技術分野】
【０００１】
本発明は、絵の具チューブの吐出口を着脱可能に塞いで、絵の具チューブ内に充填された絵の具が乾燥することを防止する有底筒状の絵の具チューブ用キャップ（以下、キャップという）に関し、詳しくは誤って呑み込まれて喉に詰まっても窒息死することがないようにしたキャップに関するものである。
【背景技術】
【０００２】
絵の具チューブに充填された絵の具は、絵の具チューブの吐出口に着脱可能に装着された有底筒状のキャップによって乾燥しないようにされている。絵の具を絵の具チューブから吐出するときは、キャップを絵の具チューブの吐出口から外す。
【発明の開示】
【発明が解決しようとする課題】
【０００３】
ところで、キャップが絵の具チューブの吐出口から外されているときに、子供がキャップを呑み込んで、喉に詰まらせることがあった。キャップは有底筒状であるから、キャップが喉に詰まると、気道が塞がれて空気が肺に供給されず、窒息死してしまう。
その一方、キャップが喉に詰まっても、空気が肺に供給されるようにするための貫通口をキャップに穿設すると、絵の具チューブ内の絵の具が乾燥してしまう。
【０００４】
そこで、本発明は絵の具チューブ内に充填された絵の具が乾燥することを防止しつつ、喉に詰まっても窒息死しないようにしたキャップを提供することを目的とする。
【課題を解決するための手段】
【０００５】
上記目的を達成するための第１の手段は、絵の具チューブの吐出口を着脱可能に装着する有底筒状の絵の具チューブ用キャップであって、底部よりも径の大きな筒部を有し、両者の間に段差部を形成し、前記筒部の内面には雌ネジが形成されている絵の具チューブ用キャップにおいて、キャップの底部に、絵の具チューブの吐出口に嵌入される突起を形成して底部の内側に絵の具チューブの吐出口と嵌合する環状溝が形成され、且つ上記段差部に１又は複数の小孔を穿設しており、筒部の内面の雌ネジを絵の具チューブに設けられた雄ネジと螺合してキャップを絵の具チューブの吐出口に装着すると、絵の具チューブの吐出口は突起によって塞がれ、さらに吐出口の全体は環状溝にすっぽりと覆われて、吐出口と小孔との間を遮断することを特徴とする絵の具チューブ用キャップである。
【０００６】
また、絵の具チューブの吐出口を着脱可能に装着する有底筒状の絵の具チューブ用キャップにおいて、キャップの底部に、絵の具チューブの吐出口に嵌入される突起と、筒状の絵の具チューブの吐出口と嵌合する環状溝とが形成され、且つ底部の一部には１又は複数の小孔を穿設し、さらに、キャップ底部の絵の具チューブの吐出口の端面と当接する環状溝の奥端部に、気密性を持たせる突起が別途設けられていることを特徴とする絵の具チューブ用キャップとすることもできる。
【０００７】
また、絵の具チューブの吐出口を着脱可能に装着する有底筒状の絵の具チューブ用キャップにおいて、キャップの底部に、絵の具チューブの吐出口に嵌入される突起を形成し、且つキャップの底部であって前記突起以外の部位に１又は複数の小孔を穿設し、キャップを絵の具チューブの吐出口に装着すると、前記小孔は絵の具チューブの吐出口の端面が直接的に当接して、小孔は吐出口の端面によって塞がれることを特徴とする絵の具チューブ用キャップとすることもできる。
【０００８】
また、絵の具チューブの吐出口を着脱可能に装着する有底筒状の絵の具チューブ用キャップにおいて、筒部の外側面に１又は複数の凹条を形成し、さらに、凹条の任意箇所に１又は複数の小孔を穿設したことを特徴とする絵の具チューブ用キャップとすることもできる。
【０００９】
また、絵の具チューブの吐出口を着脱可能に装着し、前記吐出口と接合する底部と、前記底部よりも径の大きな筒部との間に段差部を形成した絵の具チューブ用キャップにおいて、上記段差部に小孔を穿設したことを特徴とする絵の具チューブ用キャップとすることもできる。
【００１０】
上記第１の手段は、同様の手段を段差部を有するキャップに応用したものであり、キャップが装着された状態では、絵の具チューブの吐出口は突起によって塞がれ、絵の具チューブの吐出口から外された時は、絵の具チューブ用キャップの底部に穿設した小孔を空気が通過できるため、誤って飲み込んでも窒息死することを防止できる。
【００１１】
【発明の効果】
【００１２】
本発明によれば、キャップの底部又は段差部に小孔を穿設し、あるいは底部及筒部に凹条を形成したことにより、キャップが呑み込まれて喉に詰まっても、気道が確保されているため、空気が通過し窒息死を防止することができる。しかも、キャップが絵の具チューブの吐出口に装着されているときは、絵の具チューブ内の気密性が確保されているため、絵の具の乾燥を防止することもできる。したがって、本発明によって安全性に優れたキャップが提供される。
【発明を実施するための最良の形態】
【００１３】
本発明に係る実施例を図１ないし図５を参照して説明する。図１は、本発明に係る実施例１の断面図である。図２は、本発明に係る実施例２の断面図である。図３は、本発明に係る実施例３の断面図である。図４は、実施例４の斜視図である。図５は、本発明に係る実施例４の絵の具チューブ用キャップが飲み込まれた際の喉と絵の具チューブ用キャップの断面図である。図６は、実施例５の断面図である。図７は、実施例６の断面図である。
【００１４】
図１に示した絵の具チューブ用キャップ（以下、キャップという）１０は、従来と同様に有底筒状であるが、底部１１を厚肉とし、底部１１の中央に突起１６を設けている。突起１６の外径は、絵の具チューブ２０の吐出口２１の内径に等しい。
そして突起１６の底部１１では、突起１６の内側と、キャップ１０の内周面によって環状溝１２が形成されている。この環状溝１２には筒状の絵の具チューブ２０の吐出口２１が嵌入される。
キャップ１０の底部であって突起１６以外の部位、具体的には環状溝１２の奥端部に１又は複数の小孔１３が穿設されている。
また、筒部１４の内面には、絵の具チューブ２０の吐出口２１の外周に形成した雄ネジ２２と螺合する雌ネジ１５を形成する。
【００１５】
本キャップ１０は、吐出口２１に直接雄ネジ２２が設けられた絵の具チューブ２０に対応させるものである。
絵の具チューブ２０の吐出口２１の外周に形成した雄ネジ２２と、キャップ１０の筒部１４の内面に形成した雌ネジ１５とを螺合させ、キャップ１０を絵の具チューブ２０の吐出口２１に装着すると、仮想線に示すように、絵の具チューブ２０の吐出口２１はキャップ１０の底部１１に形成した環状溝１２内に嵌入し、底部１１の内側にある突起１６が絵の具チューブ２０の吐出口２１内にわずかに嵌入された状態となる。したがって、絵の具チューブ２０の吐出口２１は、キャップ１０の底部１１によって完全に塞がれ、気密性が確保された状態となり、絵の具の乾燥を防止することができる。
【００１６】
さらに本実施例では、キャップ１０の底部１１に穿設した小孔１３には、絵の具チューブ２０の吐出口２１の端面が直接的に当接し、当該小孔１３は吐出口２１の端面によって塞がれる。したがって、キャップ１０の底部１１に小孔１３が穿設されていても、小孔１３から絵の具チューブ２０内に空気が流入することがなく、絵の具チューブ２０内気密は完全である。
【００１７】
また、絵の具チューブ２０の吐出口２１から外されたキャップ１０が、誤って呑み込まれて喉に詰まっても、キャップ１０の底部１１には小孔１３が穿設されているため、空気がキャップ１０を貫通し、窒息死することがない。
【００１８】
図２に示したキャップ１０は、突起１６を有する底部１１と底部１１よりも外径を大きくした筒部１４との間に段差部２５を形成し、この段差部２５に小孔１３を穿設したものである。段差部２５は図２に示したように、テーパ状とするほか、階段状とするなど限定するものではない。厚肉の底部１１の内側には、絵の具チューブ２０（図１参照、以下同じ）の吐出口２１と嵌合する環状溝１２を形成する。筒部１４の内面には絵の具チューブ２０の吐出口２１の外周に形成した雄ネジ２２と螺合する雌ネジ１５を形成する。本キャップ１０は、雄ネジ２２の外径を吐出口２１の外径よりも大きくした絵の具チューブ２０に対応させるもので、環状溝１２の径よりも雌ネジ１５を形成する筒部１４の内径を大きくする。
【００１９】
ただし、キャップ１０の底部１１の外径は図３に示すように、厚肉の底部１１と筒部１４とを同一の外径とすることもできる。キャップ１０の底部１１と筒部１４との外径を同一にすることにより、摘みやすくなる。またキャップ１０の底部１１と筒部１４との外径を同一にすると、飲み込まれた時に底部１１の筒部１４によって気道が確保され、より安全性が高い。キャップ１０の底部１１の外側には大きな環状溝１７を形成する。この大きな環状溝１７によってデザイン上の面白さが発揮される。
【００２０】
図２及び図３に示したいずれのキャップ１０も絵の具チューブ２０の吐出口２１に装着すると、キャップ１０の筒部１１の内面に形成した雌ネジ１５が絵の具チューブ２０の雄ネジ２２と螺合し、絵の具チューブ２０の吐出口２１がキャップ１０の底部１１に形成した環状溝１２と嵌合し、さらに吐出口２１には突起１６が嵌入する。したがって、キャップ１０の段差部２５に小孔１３が穿設されていても、絵の具チューブ２０の吐出口２１は突起１６によって塞がれ、さらに吐出口２１の全体は環状溝１２にすっぽりと覆われる。そのため絵の具チューブ２０の吐出口２１と、小孔１３の間は完全に遮断され、絵の具チューブ２０内の絵の具が乾燥することを防止できる。
【００２１】
また、絵の具チューブ２０の吐出口２１から外されたキャップ１０が誤って呑み込まれて喉に詰まっても、キャップ１０の段差部２５には小孔１３が穿設されているため、空気が小孔１３を通過して、窒息死することが防止される。
【００２２】
図４及び図５に示したキャップ１０は、連続する底部１１及び筒部１４の外側面に１又は複数の凹条１８を形成したものである。底部１１の内側には絵の具チューブ２０の吐出口２１と嵌合する環状溝１２を形成し、筒部１４の内面には絵の具チューブ２０の吐出口２１の外周に形成した雄ネジ２２と螺合する雌ネジ１５を形成する。
【００２３】
絵の具チューブ２０の吐出口２１の外周に形成した雄ネジ２２と、キャップ１０の筒部１４の内面に形成した雌ネジ１５とが螺合すると、絵の具チューブ２０の吐出口２１がキャップ１０の底部１１に塞がれ、絵の具チューブ２０内の絵の具が乾燥することを防止できる。
【００２４】
絵の具チューブ２０の吐出口２１から外されたキャップ１０が、誤って呑み込まれても、キャップ１０の外側面には凹条１８が形成されているため、図５に示すように喉１と凹条１８との間に気道２が形成され、気道２内を空気が通過して、窒息死すること防止できる。なお、空気がキャップ１０の部分を通過しやすいようにするため、図４の仮想線に示すように、凹条１８の任意箇所に１又は複数の小孔１３を穿設することもできる。
【００２５】
図６は、突起の形状が異なる実施例を示すものである。図６の実施例では、突起１６の形状は、球面状のものが採用されている。またキャップ１０の内部は、絵の具チューブ２０の吐出口２１の外周径よりも少し大きく作られている。
図７に示したキャップ１０では、キャップ１０を装着した際に突起１６は球面に沿って吐出口２１内に嵌入し、吐出口２１の開口端の内面に突起１６の表面が強く押しつけられる。そのため吐出口２１は完全に封鎖される。
特に本実施例のキャップ１０では、キャップ１０の内部は、絵の具チューブ２０の吐出口２１の外周径よりも大きいので、キャップ１０が装着される際に、絵の具チューブ２０吐出口２１の外周面は、キャップ１０の内部と当接せず、両者の間に摩擦は無い。そのためキャップ１０を螺合する際の力は、直接的に突起１６の嵌入力に変換され、吐出口２１の開口端の内面に突起１６の表面が強く押しつけられることとなる。
【００２６】
突起１６の形状には、他に円錐形や、円錐台形のものが考えられる。また突起によらず、直接キャップの底部を絵の具チューブの吐出口の端面に当接して絵の具チューブの吐出口を塞ぐ方策も可能である。この構成を採用する場合は、気道を確保するための小孔は、吐出口の開口に当接する部位以外の部分に設ければ良い。また突起１６を設けない構成を採用する場合は、キャップ底部の絵の具チューブの吐出口と当接する部位には、ゴム等の気密性保持部材を介在させることが望ましい。
【００２７】
本発明は上記実施例に限定することなく本発明の要旨内において設計変更することができる。たとえば、キャップの底部又は段差部に小孔を穿設するとともに、底部及び筒部に凹条を形成することもできる。
【産業上の利用可能性】
【００２８】
本発明は絵の具チューブ内に充填された絵の具が乾燥することを防止しつつ、喉に詰まっても窒息死しないようにしたキャップに適用することができる。
【図面の簡単な説明】
【００２９】
【図１】本発明に係る実施例１の絵の具チューブ用キャップの断面図である。
【図２】本発明に係る実施例２の絵の具チューブ用キャップの断面図である。
【図３】本発明に係る実施例３の絵の具チューブ用キャップの断面図である。
【図４】本発明に係る実施例４の絵の具チューブ用キャップの斜視図である。
【図５】本発明に係る実施例４の絵の具チューブ用キャップが飲み込まれた際の喉と絵の具チューブ用キャップの断面図である。
【図６】本発明に係る実施例５の絵の具チューブ用キャップの断面図である。
【図７】本発明に係る実施例６の絵の具チューブ用キャップの断面図である。
【符号の説明】
【００３０】
１０      キャップ
１１      底部
１２      環状溝
１３      小孔
１６      突起
１８      凹条
２０      絵の具チューブ
２１      吐出口
【図１】
0004028887.tif 000002
【図２】
0004028887.tif 000003
【図３】
0004028887.tif 000004
【図４】
0004028887.tif 000005
【図５】
0004028887.tif 000006
【図６】
0004028887.tif 000007
【図７】
0004028887.tif 000008